(57)【要約】      （修正有）【課題】構造がより合理的で、撮影の需要を満たすために長時間給電ができ、且つ温度の影響を受けなくて、応用範囲がより広いカメラのＵＳＢ連続給電装置を提供する。【解決手段】カメラのＵＳＢ連続給電装置は、携帯用電源、電圧変換回路及び電力貯蔵装置を含み、電圧変換回路２はそれぞれ携帯用電源１と電力貯蔵装置３に電気的に接続され、電圧変換回路の電圧出力端がカメラ４に接続され、携帯用電源をカメラの利用に必要な電圧に変換するとともに、変換された電圧を電力貯蔵装置に貯蔵することにより瞬間の高電力需要に対応し、長時間撮影の需要を満たすことができる。同時に、低温の天気に遭っても、ＵＳＢ携帯用電源を単独に保温することができ、保温しながら撮影することができる。【選択図】図１
0003205153.tif 000002
【実用新案登録請求の範囲】
【請求項１】
カメラのＵＳＢ連続給電装置であって、携帯用電源、電圧変換回路及び電力貯蔵装置を含み、前記電圧変換回路はそれぞれ携帯用電源と電力貯蔵装置に電気的に接続され、前記電圧変換回路の電圧出力端がカメラに接続されることを特徴とするカメラのＵＳＢ連続給電装置。
【請求項２】
前記電圧変換回路の電圧出力端はカメラ給電電池装具によりカメラに接続されることを特徴とする請求項１に記載のカメラのＵＳＢ連続給電装置。
【請求項３】
前記電圧変換回路はＵＳＢインタフェースにより携帯用電源に接続されることを特徴とする請求項１又は２に記載のカメラのＵＳＢ連続給電装置。
【請求項４】
前記電力貯蔵装置はスーパーキャパシタ、バッテリー又は再充電可能電池であることを特徴とする請求項３に記載のカメラのＵＳＢ連続給電装置。
【考案の詳細な説明】
【技術分野】
【０００１】
本考案は、カメラの周辺機器に関し、特にカメラに連続給電可能な装置に関する。
【背景技術】
【０００２】
公知のように、大部分のカメラ付属電池の使用時間が常に非常に短いので、ビデオ又は写真を長時間に撮影する必要がある場合、カメラ付属電池の持久力は常に不十分で、電池を頻繁に交換すると、使用に影響を与えることがある。なお、高温と低温の状況もカメラ電池の性能に影響を与え、例えば、冬に０℃よりも低くなる場合、リチウム電池の性能を大幅に低下させ、ひいては電流を出力して給電することができない。更に使用者が電池又はカメラを懐又は保温袋に入れて保温しながら、使用することができない。このため、従来のカメラのリチウム電池の持続使用時間が短いので、日常の使用に影響を与え、また、大きな温度の影響を受けて、リチウム電池の応用範囲が狭いことを引き起こす。
【考案の概要】
【考案が解決しようとする課題】
【０００３】
本考案は、従来技術の欠点を克服して、構造がより合理的で、撮影の需要を満たすために長時間に給電することができるとともに、温度の影響を受けなくて、適用範囲がより広いカメラのＵＳＢ連続給電装置を提供することを目的とする。
【課題を解決するための手段】
【０００４】
上記課題を解決するために、本考案は以下の技術的手段を採用する。
カメラのＵＳＢ連続給電装置であって、携帯用電源、電圧変換回路及び電力貯蔵装置を含み、前記電圧変換回路はそれぞれ携帯用電源と電力貯蔵装置に電気的に接続され、前記電圧変換回路の電圧出力端がカメラに接続される。
【０００５】
上記カメラのＵＳＢ連続給電装置に対しての改良手段において、前記電圧変換回路の電圧出力端はカメラ給電電池装具によりカメラに接続される。
【０００６】
上記カメラのＵＳＢ連続給電装置に対しての改良手段において、前記電圧変換回路はＵＳＢインタフェースにより携帯用電源に接続される。
【０００７】
上記カメラのＵＳＢ連続給電装置に対しての改良手段において、前記電力貯蔵装置はスーパーキャパシタ、バッテリー又は再充電可能電池である。
【０００８】
電力貯蔵装置は制御部分の制御でＵＳＢ電源によって充放電などの操作を行い、且つ５ｖ及びＱｕｉｃｋ  Ｃｈａｒｇｅ標準での９ｖ、１２ｖなどの電圧を適用することができ、電力のより効率的な使用を実現するとともに、より大きい瞬時出力電力、より安定した長期使用効果を達成する。必要な負荷状況に応じて、電力貯蔵装置は異なる容量を用いて、数ジュール〜数百ジュールの様々の電力を蓄積することができ、それにより、より優れた利用体験を実現する。
【０００９】
電圧変換回路は直流昇降圧技術を用いて、USBが提供する電力をカメラに必要な電圧（４．２ｖ、８．４ｖなど）に変換する。Ｂｕｃｋ−Ｂｏｏｓｔ、Ｂｏｏｓｔなどの技術による電圧変換チップを利用することにより９０％以上の電力変換効率を実現することができる。電圧変換した後カメラなどのデバイスに出力して使用することができる。
【考案の効果】
【００１０】
従来技術に比べて、本考案の有益な効果は、携帯用電源、電圧変換回路及び電力貯蔵装置を含むので、このように、携帯用電源をカメラの利用に必要な電圧に変換するとともに、変換された電圧を電力貯蔵装置に貯蔵することにより瞬間の高電力需要に対応し、それにより長時間撮影の需要を満たすことができる同時に、低温の天気に遭っても、我々は単独にＵＳＢ携帯用電源を保温することができ、保温しながら撮影することができ、このため、本考案は、構造がより合理的で、撮影の需要を満たすために長時間に給電することができ、且つ温度の影響を受けないことである。
以下、図面と具体的な実施形態を参照しながら本考案を更に詳しく説明する。
【図面の簡単な説明】
【００１１】
【図１】図１は本考案の実施例の原理模式図である。
【考案を実施するための形態】
【００１２】
本考案は、カメラのＵＳＢ連続給電装置であり、図１に示すように、５ｖ又はより高い電圧の携帯用電源１、電圧変換回路２及び電力貯蔵装置３を含み、前記電圧変換回路２はそれぞれ携帯用電源１と電力貯蔵装置３に電気的に接続され、前記電圧変換回路２の電圧出力端がカメラ４に接続される。
【００１３】
電圧変換回路２の作用は、５ｖ又はより高い電圧の携帯用電源の入力電圧を３．７ｖ又は７．４ｖに変換することであり、これは、ＵＳＢ携帯用電源が携帯電話等のデバイスに連続給電を提供することができる。カメラの一般的に使用する電池は１列又は２列のリチウム電池であり、その電圧は３．７ｖ又は７．４ｖであるが、ＵＳＢの給電電圧が５ｖ又は他のボルト数であることを考えるので、本出願人は電圧変換回路により、ＵＳＢ携帯用電源をカメラに供給するためである。
【００１４】
電力貯蔵装置３の作用は、カメラが撮影する瞬間に高電流を必要とするので、電力を電力貯蔵装置に貯蔵し、それにより瞬間の高電力需要に対応することである。
【００１５】
実践した後、ＵＳＢ携帯用電源を利用すると、カメラの持久力を大幅に向上させることができ、例えば１つの１００００ｍａｈの携帯用電源が３〜５個のカメラ付属電池の持久力に達することができ、それにより長時間撮影の需要を満たすことができ、また、低温の天気に遭っても、我々はＵＳＢ携帯用電源を単独に保温することができ、このように、保温しながら撮影することができ、それにより、温度の影響を受け難くて、応用範囲がより広い目的に達するので、本考案は、構造がより合理的で、撮影の需要を満たすために長時間に給電することができ、且つ温度の影響を受けない。
【００１６】
電圧変換回路２の電圧出力端とカメラ４との接続がより便利で効率的になるとともに、カメラを変更する必要がないために、ここで、電圧変換回路２の電圧出力端はカメラ給電電池装具５（即ち電池ケースとケースの通電接点を利用する）によりカメラに接続され、このように、使用する際、カメラ給電電池装具５をカメラの電池収容溝に装着すれば通電することができる。
【００１７】
電力貯蔵装置３はスーパーキャパシタ、バッテリー、再充電可能電池等であってよい。
【００１８】
好ましくは、前記電圧変換回路２はＵＳＢインタフェースにより携帯用電源１に接続される。
【００１９】
以上に記載されたのは、ただ本考案の好ましい実施例のみであり、本考案の実施範囲を限定するためのものではない。即ち、本考案の出願特許範囲の内容に応じて行った同等の変更及び修飾は、すべて本考案の技術範囲に属すべきである。
【図１】
0003205153.tif 000003